(57)【要約】【課題】多段に積載可能な耐荷重性能を有しつつ、少ない部品点数で、被梱包物が受ける衝撃を緩衝することができる梱包装置を提供すること。【解決手段】多段に積載可能であると共に再利用可能な梱包装置１であって、底部２と、底部２に取り付け又は取り外し可能であって、所定方向に離間して底部２に取り付けられる一対の支持部３であって、下端側が底部２に取り付けられる一対の脚部３２と、一対の脚部３２の上端側同士を連結し且つ略水平方向に延びる延在連結部３１と、を有する支持部３と、被梱包物が上面側に載置され、一対の延在連結部３１の間に掛け渡される帯状部４と、を備える。一対の脚部３２は、帯状部４の上面側に載置される被梱包物１０を略上下方向Ｚにおいて支持し、延在連結部３１は、帯状部４の上面側に載置される被梱包物１０に衝撃が加わった場合に延在連結部３１の弾性を利用して被梱包物１０への衝撃を緩衝する。【選択図】図１
2014234164.tif 000002
【特許請求の範囲】
【請求項１】
多段に積載可能であると共に、再利用可能な梱包装置であって、
底部と、
前記底部に取り付け又は取り外し可能であって、所定方向に離間して前記底部に取り付けられる一対の支持部であって、下端側が前記底部に取り付けられる一対の脚部と、前記一対の脚部の上端側同士を連結し且つ略水平方向に延びる延在連結部と、を有する支持部と、
前記一対の延在連結部の間に掛け渡され,被梱包物を上面に載置して吊り下げる帯状部と、を備え、
前記一対の脚部は、前記帯状部の上面側に載置される被梱包物を略上下方向において支持し、
前記延在連結部は、前記帯状部の上面側に載置される被梱包物に衝撃が加わった場合に該延在連結部の弾性を利用して被梱包物への衝撃を緩衝することを特徴とする、
梱包装置。
【請求項２】
前記延在連結部は、パイプ状の部材により形成される
請求項１に記載の梱包装置。
【請求項３】
前記底部は、フォークリフトのフォーク部が挿入されるフォークリフト用の開口部を有する
請求項１又は２に記載の梱包装置。
【請求項４】
前記底部の下部には、係止凹部が設けられ、
前記係止凹部は、前記梱包装置が多段に積載される場合において、下方の前記梱包装置の前記延在連結部に係止される
請求項１から３のいずれかに記載の梱包装置。
【請求項５】
前記係止凹部は、下方の前記梱包装置の前記延在連結部の両端であって下方の前記梱包装置の前記脚部の上方において前記延在連結部に係止され、
前記脚部は、上方の前記梱包装置の質量を支持する
請求項４に記載の梱包装置。
【発明の詳細な説明】
【技術分野】
【０００１】
本発明は、多段に積載可能であると共に、再利用可能な梱包装置に関する。
【背景技術】
【０００２】
従来より、多段に積載可能な梱包装置が知られている。多段に積載可能な梱包装置は、多段に積載可能な耐荷重性能を有し、被梱包物を多段に積載して倉庫等へ保管できる。
ところで、多段に積載可能であると共に、再利用可能な梱包装置があれば、資源を有効的に活用できるものと考えられる。再利用可能な梱包装置として、折り畳むことが可能なダンボール部材を備える梱包装置が知られている（例えば、特許文献１参照）。また、再利用可能な梱包装置として、梱包材の内部にクッション材が配置される梱包装置が知られている（例えば、特許文献２参照）。特許文献２に記載の梱包装置においては、梱包材の内部のクッション材は、被梱包物が受ける衝撃を緩衝することができるとされる。
【先行技術文献】
【特許文献】
【０００３】
【特許文献１】特開２００６−３２１５３８号公報
【特許文献２】特許第４４００５５４号公報
【発明の概要】
【発明が解決しようとする課題】
【０００４】
特許文献１に記載の梱包装置においては、緩衝材を有していないため、被梱包物が受ける衝撃を緩衝するためには、他の部材が必要となる。また、特許文献２に記載の梱包装置においては、被梱包物が受ける衝撃を緩衝するために、クッション材を別に設けており、部品点数が多くなり易い。
再利用可能な梱包装置においては、部材を再利用するため、保管の容易さや取り扱いの容易さなどの観点から、部品点数が少ないことが望まれる。更に、多段に積載可能な梱包装置において再利用可能な構成を備える場合においては、多段に積載可能な耐荷重性能も併せて備えることも望まれる。
そのため、多段に積載可能な耐荷重性能を有しつつ、少ない部品点数で、被梱包物が受ける衝撃を緩衝することができる梱包装置が望まれる。
【０００５】
本発明は、多段に積載可能な耐荷重性能を有しつつ、少ない部品点数で、被梱包物が受ける衝撃を緩衝することができる梱包装置を提供することを目的とする。
【課題を解決するための手段】
【０００６】
本発明は、多段に積載可能であると共に、再利用可能な梱包装置であって、底部と、前記底部に取り付け又は取り外し可能であって、所定方向に離間して前記底部に取り付けられる一対の支持部であって、下端側が前記底部に取り付けられる一対の脚部と、前記一対の脚部の上端側同士を連結し且つ略水平方向に延びる延在連結部と、を有する支持部と、被梱包物が上面側に載置され、前記一対の延在連結部の間に掛け渡される帯状部と、を備え、前記一対の脚部は、前記帯状部の上面側に載置される被梱包物を略上下方向において支持し、前記延在連結部は、前記帯状部の上面側に載置される被梱包物に衝撃が加わった場合に該延在連結部の弾性を利用して被梱包物への衝撃を緩衝する梱包装置に関する。
【発明の効果】
【０００７】
本発明によれば、多段に積載可能な耐荷重性能を有しつつ、少ない部品点数で、被梱包物が受ける衝撃を緩衝することができる梱包装置を提供することができる。
【図面の簡単な説明】
【０００８】
【図１】本発明の梱包装置１の分解状態を示す図である。
【図２】本発明の梱包装置１の組み立てた状態を示す図である。
【発明を実施するための形態】
【０００９】
以下、本発明の実施形態について、コピー機等の画像形成装置の被梱包物１０を梱包する梱包装置１について説明する。図１は、本発明の梱包装置１の分解状態を示す図である。図２は、本発明の梱包装置１の組み立てた状態を示す図である。なお、本実施形態の説明において、コピー機等の被梱包物１０が梱包装置１に載せられた場合における被梱包物１０の左右方向を梱包装置１の左右方向Ｘとし、被梱包物１０の前後方向を梱包装置１の前後方向Ｙとし、上下方向を上下方向Ｚとして説明する。
【００１０】
図１及び図２に示すように、本実施形態に係る梱包装置１は、コピー機等の被梱包物１０を載せて梱包するための装置である。梱包装置１は、多段に積載可能であると共に、再利用可能である。梱包装置１は、多段に積載した状態で、倉庫等に保管可能である。
【００１１】
梱包装置１は、図１及び図２に示すように、底部としてのパレット部２と、一対の支持部３，３と、帯状部４と、を備える。
【００１２】
パレット部２は、ＸＹ平面（水平面）に略平行な方形状の上面を有し、所定の厚みを有する板状に形成される。パレット部２は、取付孔部２１と、フォークリフト用の開口部２２と、係止凹部２３と、を有する。
【００１３】
取付孔部２１は、パレット部２の４つの角部の内側の近傍において、パレット部２の上面に設けられる。取付孔部２１には、後述する支持部３の垂直パイプ３２（脚部）の下端部３２１が挿入される。これにより、後述する支持部３は、パレット部２に取り付けられる。
【００１４】
フォークリフト用の開口部２２は、パレット部２の下部側に設けられる。フォークリフト用の開口部２２は、フォークリフト（不図示）のフォーク部（不図示）が挿入されるように、パレット部２の一辺において、方形状に２つ開口している。フォークリフト用の開口部２２には、フォークリフト（不図示）のフォーク部（不図示）が挿入される。
【００１５】
係止凹部２３は、パレット部２の下部に設けられている。係止凹部２３は、パレット部２の左右方向に沿う辺において、左右方向Ｘに離間して一対設けられ、パレット部２の下端から半円状に窪んでいる。
係止凹部２３は、梱包装置１が多段に積載される場合において、下方の梱包装置１の支持部３（後述）の水平パイプ３１（延在連結部）（後述）に係止される。この場合、係止凹部２３は、下方の梱包装置１の水平パイプ３１（後述）の両端において支持される。係止凹部２３は、下方の梱包装置１の垂直パイプ３２（脚部）の上方において、水平パイプ３１（延在連結部）（後述）に係止される。
【００１６】
一対の支持部３，３は、パレット部２に、取り付け又は取り外し可能である。一対の支持部３，３は、左右方向Ｘ（所定方向）に離間して配置され、パレット部２に取り付けられる。一対の支持部３，３それぞれは、一体的に形成され、ＹＺ平面上において延びており、下方側が開放する略コ字状に形成される。一対の支持部３，３は、互いに同一の形状であり、互いが略平行に対向して配置されている。
【００１７】
一対の支持部３，３それぞれは、延在連結部としての水平パイプ３１と、一対の脚部としての一対の垂直パイプ３２，３２と、を有する。水平パイプ３１及び一対の垂直パイプ３２，３２は、パイプ状の部材により一体的に形成される。本実施形態においては、水平パイプ３１及び一対の垂直パイプ３２，３２は、特に軸方向に剛性を有する鉄パイプにより構成される。
【００１８】
水平パイプ３１は、前後方向Ｙ（略水平方向）に直線状に延びており、一対の垂直パイプ３２，３２の上端側同士を連結する。
一対の垂直パイプ３２，３２は、水平パイプ３１の前後方向Ｙの両端部それぞれから下方側に向けて直線状に延びており、下端側がパレット部２に取り付けられる。一対の垂直パイプ３２，３２の下端側の下端部３２１は、パレット部２に取り付けられる。
【００１９】
一対の垂直パイプ３２，３２は、帯状部４の上面側に載置される被梱包物１０を略上下方向Ｚにおいて支持する。梱包装置１が落下して帯状部４の上面側に載置される被梱包物へ衝撃が加わる方向は、多くの場合、略上下方向Ｚである。その場合、このような機能を有する垂直パイプ３２は、その軸方向の剛性（圧縮しにくさ）で被梱包物１０を支持することができる。また、一対の垂直パイプ３２，３２は、梱包装置１が多段に積載される場合において、上方の梱包装置１の質量を支持する。
【００２０】
水平パイプ３１は、帯状部４の上面側に載置される被梱包物１０に衝撃が加わった場合に水平パイプ３１の弾性を利用して被梱包物１０への衝撃を緩衝する。また、梱包装置１が略上下方向Ｚに落下して帯状部４の上面側に載置される被梱包物１０へ衝撃が加わる方向が略上下方向Ｚである場合、このような機能を有する水平パイプ３１は、その弾性を利用して撓んで、被梱包物１０への衝撃を緩衝することができる。
【００２１】
帯状部４は、緩衝シート材４０と、吊り下げ部材４４と、を有する。緩衝シート材４０は、シート状に形成され、左右方向Ｘに離間する一対の水平パイプ３１，３１の間に掛け渡される。緩衝シート材４０は、吊り下げ部材４４を介して、一対の支持部３，３の水平パイプ３１に吊り下げされる。
【００２２】
吊り下げ部材４４は、緩衝シート材４０の上端部に固定される。吊り下げ部材４４は、緩衝シート材４０を一対の支持部３，３の水平パイプ３１に吊り下げることができるように、下方側が開放するフック状に形成される。吊り下げ部材４４は、一方の水平パイプ３１に対応して設けられると共に、他方の水平パイプ３１に対応して設けられる。本実施形態においては、吊り下げ部材４４は、緩衝シート材４０の上端部において、水平パイプ３１に対応して前後方向Ｙに離間する２個が、一方側の水平パイプ３１及び他方側の水平パイプ３１に対応して、左右方向Ｘに離間して２組設けられている。
【００２３】
緩衝シート材４０は、ハンモックのように、一方側の２個の吊り下げ部材４４及び他方側の２個の吊り下げ部材４４により、一対の支持部３，３の水平パイプ３１に吊り下げられる。緩衝シート材４０としては、テント材などの布シート等を挙げることができる。
【００２４】
緩衝シート材４０は、梱包装置１の組み立て後の状態において、上下方向Ｚにおいて、パレット部２の上方側に、パレット部２から離間して配置される。緩衝シート材４０は、上下方向Ｚにおいて、パレット部２と支持部３の水平パイプ３１との間に配置される。緩衝シート材４０は、平面視で、左右方向Ｘにおいて、一対の支持部３，３の間に配置される。緩衝シート材４０の上面側には、コピー機等の被梱包物１０が載置される。つまり、帯状部４（緩衝シート材４０）は、被梱包物１０を包装し、被梱包物１０をパレット部２から中空に浮かせる（ハンモック）ものである。
【００２５】
以上のように構成される梱包装置１は、再利用可能である。具体的には、図１に示すように、梱包装置１において、パレット部２と、一対の支持部３，３と、帯状部４とは、それぞれ、分離可能に構成される。コピー機等の被梱包物１０を梱包する場合には、分離状態の梱包装置１を組み立てる。詳細には、パレット部２の取付孔部２１に一対の支持部３，３の垂直パイプ３２の下端部３２１を挿入することで、パレット部２に一対の支持部３，３を取り付ける。そして、緩衝シート材４０を、吊り下げ部材４４を介して、一対の支持部３，３の水平パイプ３１に掛け渡す。次に、緩衝シート材４０の上面側に、コピー機等の被梱包物１０を載置する。被梱包物１０を側方から更に梱包する場合には、所定の梱包材を用いて、梱包してもよい。
このようにして、図２に示すように、コピー機等の被梱包物１０は、組み立てられた梱包装置１に載せられる。
【００２６】
次に、コピー機等の被梱包物１０が載せられた梱包装置１を、フォークリフト（不図示）により、多段に積載する。例えば、梱包装置１は、４〜５段に積載される。
詳細には、コピー機等の被梱包物１０が載せられた梱包装置１を、積載する段数分だけ準備する。パレット部２には、フォークリフト用の開口部２２が設けられている。パレット部２の開口部２２にフォークリフト（不図示）のフォーク部（不図示）を挿入し、梱包装置１を、フォークリフト（不図示）により、上方に持ち上げる。次に、上方に持ち上げられた梱包装置１のパレット部２の係止凹部２３を、下方の梱包装置１の一対の支持部３，３の水平パイプ３１に係止させる。これにより、梱包装置１を多段に積載することができる。
【００２７】
このようにして、図２に示すように、緩衝シート材４０の上面側にコピー機等の被梱包物１０が載置された状態において、緩衝シート材４０は、吊り下げ部材４４により、一方側の水平パイプ３１の２箇所及び他方側の水平パイプ３１の２箇所で、吊り下げられる。そのため、コピー機等の被梱包物１０は、緩衝シート材４０を介して、水平パイプ３１における前後方向Ｙ（水平パイプ３１が延びる方向）の剛性及び一対の垂直パイプ３２，３２における上下方向Ｚ（垂直パイプ３２が延びる方向）の剛性により、安定して支えられて保持される。特に、一対の垂直パイプ３２，３２は、上下方向Ｚに延びて形成されており、上方側からの荷重に対して圧縮しにくく、梱包装置１を多段に積載するための耐荷重の性能が高い。
【００２８】
また、緩衝シート材４０に載置されたコピー機等の被梱包物１０は、梱包装置１が外部から左右方向Ｘの衝撃を受けた場合においても、支持部３の垂直パイプ３２の弾性を利用して左右方向Ｘの衝撃を緩衝することができる。
【００２９】
また、水平パイプ３１の弾性を利用して、緩衝シート材４０に載置されたコピー機等の被梱包物１０への衝撃を緩衝することができる。
【００３０】
本実施形態の梱包装置１によれば、例えば、以下の効果が奏される。
本実施形態の梱包装置１は、底部２と、底部２に取り付け又は取り外し可能であって、左右方向Ｘに離間して底部２に取り付けられる一対の支持部３であって、下端側が底部２に取り付けられる一対の脚部３２と、一対の脚部３２の上端側同士を連結し且つ略水平方向Ｙに延びる延在連結部３１と、を有する支持部３と、被梱包物１０が上面側に載置され、一対の支持部３の間に掛け渡される帯状部４と、を備える。一対の脚部３２は、帯状部４の上面側に載置される被梱包物１０を略上下方向Ｚにおいて支持し、延在連結部３１は、帯状部４の上面側に載置される被梱包物１０に衝撃が加わった場合に延在連結部３１の弾性を利用して被梱包物１０への衝撃を緩衝する。
【００３１】
そのため、梱包装置１が落下して帯状部４の上面側に載置される被梱包物１０へ衝撃が加わった場合、垂直パイプ３２は、その軸方向の剛性（圧縮しにくさ）で被梱包物１０を支持することができる。また、水平パイプ３１は、その弾性を利用して被梱包物１０への衝撃を緩衝することができる。水平パイプ３１は、特に梱包装置１が略上下方向Ｚに落下して被梱包物１０に衝撃が加わった場合において、その弾性を利用して撓んで、被梱包物１０への衝撃を緩衝することができる。これにより、本発明に係る梱包装置１は、多段に積載可能な耐荷重性能を有しつつ、少ない部品点数で、被梱包物１０が受ける衝撃を緩衝することができる。
【００３２】
また、本実施形態においては、パレット部２は、フォークリフト（不図示）のフォーク部（不図示）が挿入されるフォークリフト用の開口部２２を有する。そのため、フォークリフト（不図示）で梱包することが容易であると共に、フォークリフト（不図示）により梱包装置１を容易に多段に積載することができる。
【００３３】
また、本実施形態においては、パレット部２の下部には、係止凹部２３が設けられる。係止凹部２３は、梱包装置１が多段に積載される場合において、下方の梱包装置１の水平パイプ３１に係止される。これにより、本実施形態に係る梱包装置１は、水平パイプ３１上に係止凹部２３を係止できるため、梱包装置１を容易に多段に積載することができる。
【００３４】
また、本実施形態においては、係止凹部２３は、下方の梱包装置１の水平パイプ３１の両端であって下方の梱包装置１の垂直パイプ３２の上方において水平パイプ３１に係止され、垂直パイプ３２は、上方の梱包装置１の質量を支持する。そのため、梱包装置１が多段に積載される場合において、下方の梱包装置１の垂直パイプ３２によりその軸方向の剛性（圧縮しにくさ）で上方の梱包装置１を支持することができると共に、下方の梱包装置１の水平パイプ３１によりその弾性を利用して上方の梱包装置１への衝撃を緩衝することができる。
【００３５】
以上、好適な実施形態について説明したが、本発明は前述した実施形態に限定されることなく種々の形態で実施することができる。
例えば、前記実施形態においては、一対の支持部３，３及び帯状部４を別体で構成したが、これに制限されず、一対の支持部３，３及び帯状部４を一体的に構成してもよい。
【００３６】
また、前記実施形態においては、被梱包物１０として画像形成装置としてのコピー機を例に説明したが、これに制限されない。被梱包物１０としては、コピー機以外の画像形成装置、例えば、コピー機以外に、プリンター、ファクシミリ、又はこれらの複合機などであってもよい。また、被梱包物としては、画像形成装置以外の各種装置などであってもよい。
【符号の説明】
【００３７】
１……梱包装置、２……パレット部（底部）、３……支持部、４……帯状部、１０……コピー機（被梱包物）、２２……開口部、２３……係止凹部、３１……水平パイプ（延在連結部）、３１……垂直パイプ（脚部）
【図１】
2014234164.tif 000003
【図２】
2014234164.tif 000004